(57)【要約】【課題】  クランパの角度調整の自由度を増し、もって、連結部のパイプの連結を容易にできるようにするとともに、連結部の構造を単純化し、外装材の取付が容易にできるようにし、外観品質も向上させるようにする。【解決手段】  １本の一方向パイプＰ（Ａ）と一方向パイプの軸線に直交する１つの平面上に軸線を有して配設される少なくとも２本以上の他方向パイプＰ（Ｂ）とが交差する連結部に用いられ、一方向パイプをクランプする１つの主クランパ１Ａと、他方向パイプをクランプする複数の従クランパ１Ｂと、各クランパ１Ａ，１Ｂが固定されるプレート２０とを備え、プレート２０に、各従クランパ１Ｂがクランプする他方向パイプＰ（Ｂ）の軸線方向を可変に従クランパ１Ｂの被取付部が着脱可能に取付けられる従クランパ取付部３０を備えた。【選択図】  図１
2005290815.tif 000002
【特許請求の範囲】
【請求項１】
パイプが連結されて組み立てられる簡易ハウスの骨組みの連結部であって１本の一方向パイプと該一方向パイプの軸線に直交する１つの平面上に軸線を有して配設される少なくとも２本以上の他方向パイプとが交差する連結部に用いられ、各パイプをクランプする複数のクランパと、該各クランパが固定され上記一方向パイプの軸線に直交する面を有したプレートとを備えた簡易ハウスの骨組み用連結金具において、
上記各クランパを、上記パイプをクランプするクランプ部と、該クランプ部に設けられ上記プレートに取付けられる被取付部とを備えて構成し、
上記クランパとして、上記一方向パイプをクランプする１つの主クランパと、上記他方向パイプをクランプする複数の従クランパとを備え、
上記プレートを、上記一方向パイプが該プレート面を含む平面を貫通可能に上記主クランパの被取付部が着脱可能に取付けられる主クランパ取付部と、上記各従クランパがクランプする他方向パイプの軸線方向を可変に該従クランパの被取付部が着脱可能に取付けられる従クランパ取付部とを備えて構成したことを特徴とする簡易ハウスの骨組み用連結金具。
【請求項２】
上記従クランパ取付部として、第１及び第２従クランパ取付部を備え、該第１及び第２従クランパ取付部を、上記主クランパ取付部に取付けられる主クランパがクランプする一方向パイプの軸線に直交する１つの中心軸に対して左右対称に設けたことを特徴とする請求項１記載の簡易ハウスの骨組み用連結金具。
【請求項３】
上記第１及び第２従クランパ取付部において、該第１及び第２従クランパ取付部に取付けられる従クランパがクランプする他方向パイプの軸線方向が上記一方向パイプの軸線を中心とした所定角度範囲で可変になるように、当該従クランパの被取付部を着脱可能にしたことを特徴とする請求項２記載の簡易ハウスの骨組み用連結金具。
【請求項４】
上記従クランパ取付部として、第３従クランパ取付部を備え、該第３従クランパ取付部を、上記主クランパ取付部に取付けられる主クランパがクランプする一方向パイプの軸線に直交する１つの中心軸上に設けたことを特徴とする請求項２または３記載の簡易ハウスの骨組み用連結金具。
【請求項５】
上記第３従クランパ取付部において、該第３従クランパ取付部に取付けられる従クランパがクランプする他方向パイプの軸線方向が当該第３従クランパ取付部の中心点を中心とした所定角度範囲で可変になるように、当該従クランパの被取付部を着脱可能にしたことを特徴とする請求項４記載の簡易ハウスの骨組み用連結金具。
【請求項６】
上記クランパのクランプ部を、上記プレート側に固定され内側にパイプの外周が当接可能な略半円弧状の当接部を有した固定片と、該固定片の一端に当該クランパがクランプするパイプの軸線と平行な軸線を回動軸とするヒンジを介して一端が回動可能に設けられるとともにパイプの外周が当接可能な略半円弧状の当接部を有し上記固定片と共働して該パイプを挾持する可動片と、上記固定片の他端に基端部が回動可能に設けられたクランプボルトと、上記可動片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成したことを特徴とする請求項１，２，３，４または５記載の簡易ハウスの骨組み用連結金具。
【請求項７】
上記クランパの被取付部を、上記クランプ部から突設された固定ボルトと、該固定ボルトに螺合され該固定ボルトを上記プレートに固定するための固定ナットと、上記クランプ部から突設された位置決めピンとを備えて構成し、上記プレートの各取付部を、上記プレートに設けられ上記固定ボルトが挿入可能なボルト挿入孔及び位置決めピンが挿入可能なピン挿入孔を備えて構成したことを特徴とする請求項１，２，３，４，５または６記載の簡易ハウスの骨組み用連結金具。
【請求項８】
上記従クランパ取付部として、第１及び第２従クランパ取付部を備え、該第１及び第２従クランパ取付部を、上記主クランパ取付部に取付けられる主クランパがクランプする一方向パイプの軸線に直交する１つの中心軸に対して左右対称に設け、
上記第１及び第２従クランパ取付部において、該第１及び第２従クランパ取付部に取付けられる従クランパがクランプする他方向パイプの軸線方向が上記一方向パイプの軸線を中心とした所定角度範囲で可変になるように、当該従クランパの被取付部を着脱可能にし、
上記従クランパ取付部として、第３従クランパ取付部を備え、該第３従クランパ取付部を、上記主クランパ取付部に取付けられる主クランパがクランプする一方向パイプの軸線に直交する１つの中心軸上に設け、
上記第３従クランパ取付部において、該第３従クランパ取付部に取付けられる従クランパがクランプする他方向パイプの軸線方向が当該第３従クランパ取付部の中心点を中心とした所定角度範囲で可変になるように、当該従クランパの被取付部を着脱可能にし、
上記クランパのクランプ部を、上記プレート側に固定され内側にパイプの外周が当接可能な略半円弧状の当接部を有した固定片と、該固定片の一端に当該クランパがクランプするパイプの軸線と平行な軸線を回動軸とするヒンジを介して一端が回動可能に設けられるとともにパイプの外周が当接可能な略半円弧状の当接部を有し上記固定片と共働して該パイプを挾持する可動片と、上記固定片の他端に基端部が回動可能に設けられたクランプボルトと、上記可動片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成し、
上記主クランパの被取付部を、上記クランパ部の固定片が固定されたベースと、該ベースから突設され該クランパ部でクランプされた一方向パイプの軸線と同方向の軸線を有する固定ボルトと、該固定ボルトに螺合され該固定ボルトを上記プレートに固定するための固定ナットと、上記ベース部から突設され該クランパ部でクランプされた一方向パイプの軸線と同方向の軸線を有する位置決めピンとを備えて構成し、上記プレートの主クランパ取付部を、上記プレートに設けられ上記固定ボルトが挿入可能なボルト挿入孔及び位置決めピンが挿入可能なピン挿入孔を備えて構成し、
上記従クランパの被取付部を、上記クランパ部の固定片から突設され該クランパ部でクランプされた他方向パイプの軸線と直交する方向の軸線を有する固定ボルトと、該固定ボルトに螺合され該固定ボルトを上記プレートに固定するための固定ナットと、上記固定片から突設され該クランパ部でクランプされた他方向パイプの軸線と直交する方向の軸線を有する位置決めピンとを備えて構成し、
上記第１及び第２従クランパ取付部を、上記プレートに設けられ上記固定ボルトが挿入可能なボルト挿入孔及び位置決めピンが挿入可能なピン挿入孔の組を備えて構成し、該第１及び第２従クランパ取付部において、上記ボルト挿入孔及びピン挿入孔の組を、上記一方向パイプの軸線を中心とした所定角度範囲に、所定角度関係で複数組設け、
上記第３従クランパ取付部を、上記プレートに設けられ上記固定ボルトが挿入可能なボルト挿入孔及び位置決めピンが挿入可能なピン挿入孔を備えて構成し、該第３従クランパ取付部において、上記ピン挿入孔を、上記ボルト挿入孔を中心とした所定角度範囲に、所定角度関係で複数設けたことを特徴とする請求項１記載の簡易ハウスの骨組み用連結金具。
【発明の詳細な説明】
【技術分野】
【０００１】
本発明は、ビニールハウスやプレハブ等の簡易ハウスであってパイプが連結されて組み立てられる簡易ハウスの骨組みのために用いられる簡易ハウスの骨組み用連結金具に係り、特に、３本以上のパイプが交差する連結部に用いられる簡易ハウスの骨組み用連結金具に関する。
【背景技術】
【０００２】
一般に、ビニールハウスやプレハブ等の簡易ハウスにおいては、例えば、図１０に示すように、鋼等の金属製のパイプＰを連結して、骨組みＴを構築し、それから、この骨組みＴに樹脂シートを被覆しあるいはベニヤ板などを付設して構築することを行なう。
【０００３】
連結部Ｊとしては、例えば、屋根の頂部（尾根）を構成する一方向パイプＰ（Ａ１）と、屋根の妻を構成し屋根の傾斜に沿う一対の他方向パイプＰ（Ｂ１，Ｂ２）と、屋根の妻を構成する横梁のパイプＰ（Ｂ４）に立設される縦梁の他方向パイプＰ（Ｂ３）が交差する屋根の頂部端部Ｊ（ａ１）がある。
また、連結部Ｊの他の例としては、例えば、屋根の裾縁を構成する一方向パイプＰ（Ａ２）と、屋根の妻を構成し屋根の傾斜に沿う一本の他方向パイプＰ（Ｂ１またはＢ２）と、屋根の妻を構成する横梁の他方向パイプＰ（Ｂ４）と、土台（地面）から立ち上がって柱を構成する他方向パイプＰ（Ｂ５）が交差する屋根の裾縁端部Ｊ（ａ２）がある。
更に、連結部Ｊのまた他の例としては、例えば、屋根の裾縁を構成する一方向パイプＰ（Ａ２）と、土台（地面）から立ち上がって柱を構成する他方向パイプＰ（Ｂ６）が直角に交差する屋根の裾縁中間部Ｊ（ｂ１）がある。
更にまた、連結部Ｊの別の例としては、例えば、屋根の裾縁を構成する一方向パイプＰ（Ａ２）と、柱の他方向パイプＰ（Ｂ７）から延びて一方向パイプＰ（Ａ２）に架設される補強材を構成する他方向パイプＰ（Ｂ８）が鋭角（あるいは鈍角）に交差する屋根の裾縁中間部Ｊ（ｂ２）などがある。
【０００４】
そして、従来において、このような簡易ハウスの骨組みＴの連結部Ｊにおいては、例えば、パイプＰを針金などの線条材で結束したり、あるいは、建設工事などに使用される足場のためのパイプＰを連結するクランパ等を用いる。
【０００５】
足場用クランパとしては、例えば、特開２００２−２９５４１７号公報（特許文献１）に記載されているような直交する２本のパイプを連結する２連のクランパが知られている。
また、特開２００１−２６２８２４号公報（特許文献２）に記載されているような３連のクランパも知られている。これは、図１１に示すように、１本の一方向パイプＰ（Ａ）と、この１本の一方向パイプＰ（Ａ）の軸線方向に直交する軸線を有して配設される２本の他方向パイプＰ（Ｂ）とが交差する連結部に用いられ、各パイプＰをクランプする３つのクランパ１００，１０１，１０３と、各クランパ１００，１０１，１０３が固定されるプレート１０４とを備えている。そして、一方向パイプＰ（Ａ）をクランプするクランパ１００と他方向パイプＰ（Ｂ）をクランプする一方のクランパ１０１とはプレート１０４に固定であり、他方向パイプＰ（Ｂ）をクランプする他方のクランパ１０３はプレート１０４に可動であり角度調整が可能になっている。
【０００６】
【特許文献１】特開２００２−２９５４１７号公報
【特許文献２】特開２００１−２６２８２４号公報
【発明の開示】
【発明が解決しようとする課題】
【０００７】
ところで、上記従来の２連のクランパにおいては、直交する２本のパイプ用なので、上記の裾縁中間部Ｊ（ｂ１）においては使用できるが、上記の裾縁中間部Ｊ（ｂ２）のようにパイプＰの軸線の角度が９０度より小さい（あるいは大きい）場合には、これを用いることができないという問題があった。また、３以上のパイプＰが交差するところでは、これを複数個用い、場合によっては針金も併用するが、パイプＰが重なり合って連結部が複雑になってしまい、その後の外装材の取付がやりにくくまた外観品質も損ねてしまうという問題がある。
また、図１１に示す３連のクランパにおいては、他方向パイプＰ（Ｂ）をクランプする他方のクランパ１０３はプレート１０４に可動であり角度調整が可能になっているが、他方向パイプＰ（Ｂ）をクランプする一方のクランパ１０１はプレート１０４に固定なので、角度調整の自由度が小さく、簡易ハウスの骨組みの連結部のように、パイプ同士の角度関係が複雑なものにおいては、対応しにくいという問題があった。また、４以上のパイプＰが交差するところでは、これを複数個用い、場合によっては針金も併用するが、パイプＰが重なり合って連結部が複雑になってしまい、その後の外装材の取付がやりにくくまた外観品質も損ねてしまうという問題がある。
【０００８】
本発明は上記の問題点に鑑みて為されたもので、クランパの角度調整の自由度を増し、もって、連結部のパイプの連結を容易にできるようにするとともに、連結部の構造を単純化し、外装材の取付が容易にできるようにし、外観品質も向上させるようにした簡易ハウスの骨組み用連結金具を提供することを目的とする。
【課題を解決するための手段】
【０００９】
上記課題を解決するため、本発明の簡易ハウスの骨組み用連結金具は、パイプが連結されて組み立てられる簡易ハウスの骨組みの連結部であって１本の一方向パイプと該一方向パイプの軸線に直交する１つの平面上に軸線を有して配設される少なくとも２本以上の他方向パイプとが交差する連結部に用いられ、各パイプをクランプする複数のクランパと、該各クランパが固定され上記一方向パイプの軸線に直交する面を有したプレートとを備えた簡易ハウスの骨組み用連結金具において、
上記各クランパを、上記パイプをクランプするクランプ部と、該クランプ部に設けられ上記プレートに取付けられる被取付部とを備えて構成し、
上記クランパとして、上記一方向パイプをクランプする１つの主クランパと、上記他方向パイプをクランプする複数の従クランパとを備え、
上記プレートを、上記一方向パイプが該プレート面を含む平面を貫通可能に上記主クランパの被取付部が着脱可能に取付けられる主クランパ取付部と、上記各従クランパがクランプする他方向パイプの軸線方向を可変に該従クランパの被取付部が着脱可能に取付けられる従クランパ取付部とを備えて構成している。
【００１０】
これにより、パイプの連結を行なうときは、一方向パイプに対応して、主クランパの被取付部を、主クランパ取付部に取付ける。また、他方向パイプに対応して、従クランパの被取付部を、従クランパ取付部に取付ける。この際、他方向パイプの傾斜に合わせて、従クランパ取付部の角度位置を選択して、従クランパをプレートに固定する。この場合、他方向パイプの傾斜に合わせて従クランパの固定位置を変えるだけで角度調整できるので、作業が極めて容易に行なわれる。また、各従クランパの固定位置を各々変えることができるので、クランパの角度調整の自由度が増し、この点でも、作業が極めて容易に行なわれる。
【００１１】
そして、この主クランパ及び従クランパを取付けた連結金具を、連結部位に位置させ、各クランパに対応するパイプを挿入してクランプする。この場合、パイプをクランパにクランプするだけで各パイプの連結を行なうことができるので、作業が極めて簡単に行なわれる。
このようにして、連結金具にパイプを取付けた状態では、他方向パイプが、一方向パイプの軸線に直交する１つの平面上に軸線を有して配設されるので、従来のようにパイプが重なり合って連結部が複雑になってしまう事態を防止することができ、そのため、連結部の構造が単純化され、その後の外装材の取付が容易にできるようになり、また、外観品質が大幅に向上させられる。
【００１２】
そして、必要に応じ、上記従クランパ取付部として、第１及び第２従クランパ取付部を備え、該第１及び第２従クランパ取付部を、上記主クランパ取付部に取付けられる主クランパがクランプする一方向パイプの軸線に直交する１つの中心軸に対して左右対称に設けた構成としている。第１及び第２従クランパ取付部が左右対称に設けられているので、屋根の妻を構成し屋根の傾斜に沿う一対のパイプを連結する場合などに、左右のバランスをとって角度調整でき、より一層、作業が容易に行なわれる。また、連結部の構造が単純化され、その後の外装材の取付が容易にできるようになり、また、外観品質が大幅に向上させられる。
【００１３】
この場合、必要に応じ、上記第１及び第２従クランパ取付部において、該第１及び第２従クランパ取付部に取付けられる従クランパがクランプする他方向パイプの軸線方向が上記一方向パイプの軸線を中心とした所定角度範囲で可変になるように、当該従クランパの被取付部を着脱可能にした構成としている。従クランパを一方向パイプの軸線を中心として角度調整できるので、屋根の妻を構成し屋根の傾斜に沿う一対のパイプを連結する場合などに、角度調整が容易になり、より一層、作業が容易に行なわれるとともに、一方向パイプに対する他方向パイプの角度関係を正規の状態に保持することができる。
【００１４】
また、必要に応じ、上記従クランパ取付部として、第３従クランパ取付部を備え、該第３従クランパ取付部を、上記主クランパ取付部に取付けられる主クランパがクランプする一方向パイプの軸線に直交する１つの中心軸上に設けた構成としている。４本以上のパイプの連結を行なうことができるようになり、汎用性を大幅に向上させることができる。
【００１５】
この場合、必要に応じ、上記第３従クランパ取付部において、該第３従クランパ取付部に取付けられる従クランパがクランプする他方向パイプの軸線方向が当該第３従クランパ取付部の中心点を中心とした所定角度範囲で可変になるように、当該従クランパの被取付部を着脱可能にした構成としている。一方向パイプの軸線を中心としない角度調整ができるので、４本以上の種々の部位のパイプの連結を行なうことができるようになり、より一層汎用性を向上させることができる。
【００１６】
また、必要に応じ、上記クランパのクランプ部を、上記プレート側に固定され内側にパイプの外周が当接可能な略半円弧状の当接部を有した固定片と、該固定片の一端に当該クランパがクランプするパイプの軸線と平行な軸線を回動軸とするヒンジを介して一端が回動可能に設けられるとともにパイプの外周が当接可能な略半円弧状の当接部を有し上記固定片と共働して該パイプを挾持する可動片と、上記固定片の他端に基端部が回動可能に設けられたクランプボルトと、上記可動片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成している。パイプを固定片と可動片の間に挿入しロックナットを締め付けるだけでパイプをクランプできるので、クランプを容易に行なうことができる。
【００１７】
更に、必要に応じ、上記クランパの被取付部を、上記クランプ部から突設された固定ボルトと、該固定ボルトに螺合され該固定ボルトを上記プレートに固定するための固定ナットと、上記クランプ部から突設された位置決めピンとを備えて構成し、上記プレートの各取付部を、上記プレートに設けられ上記固定ボルトが挿入可能なボルト挿入孔及び位置決めピンが挿入可能なピン挿入孔を備えて構成している。固定ボルトと位置決めピンとを、クランパ取付部のボルト挿入孔及びピン挿入孔に挿入し、固定ナットを固定ボルトに締め付けて、クランパをプレートに固定するので、クランパを位置決めピンで位置決めして固定することができ、確実に位置決め固定することができる。
【００１８】
そしてまた、必要に応じ、上記主クランパの被取付部を、上記クランパ部の固定片が固定されたベースと、該ベースから突設され該クランパ部でクランプされた一方向パイプの軸線と同方向の軸線を有する固定ボルトと、該固定ボルトに螺合され該固定ボルトを上記プレートに固定するための固定ナットと、上記ベース部から突設され該クランパ部でクランプされた一方向パイプの軸線と同方向の軸線を有する位置決めピンとを備えて構成し、上記プレートの主クランパ取付部を、上記プレートに設けられ上記固定ボルトが挿入可能なボルト挿入孔及び位置決めピンが挿入可能なピン挿入孔を備えて構成し、
上記従クランパの被取付部を、上記クランパ部の固定片から突設され該クランパ部でクランプされた他方向パイプの軸線と直交する方向の軸線を有する固定ボルトと、該固定ボルトに螺合され該固定ボルトを上記プレートに固定するための固定ナットと、上記固定片から突設され該クランパ部でクランプされた他方向パイプの軸線と直交する方向の軸線を有する位置決めピンとを備えて構成し、
上記第１及び第２従クランパ取付部を、上記プレートに設けられ上記固定ボルトが挿入可能なボルト挿入孔及び位置決めピンが挿入可能なピン挿入孔の組を備えて構成し、該第１及び第２従クランパ取付部において、上記ボルト挿入孔及びピン挿入孔の組を、上記一方向パイプの軸線を中心とした所定角度範囲に、所定角度関係で複数組設け、
上記第３従クランパ取付部を、上記プレートに設けられ上記固定ボルトが挿入可能なボルト挿入孔及び位置決めピンが挿入可能なピン挿入孔を備えて構成し、該第３従クランパ取付部において、上記ピン挿入孔を、上記ボルト挿入孔を中心とした所定角度範囲に、所定角度関係で複数設けた構成としている。
主クランパの被取付部において、クランパ部をベースに設けたので、一方向パイプをプレート面を含む平面を貫通可能に確実にプレートに着脱可能に取付けることができるようになる。また、ボルト挿入孔とピン挿入孔の位置関係により、種々の角度範囲に対応することができるようになり、より一層汎用性を向上させることができる。
【発明の効果】
【００１９】
本発明の簡易ハウスの骨組み用連結金具によれば、他方向パイプの傾斜に合わせて従クランパの固定位置を変えるだけで角度調整できるので、作業が極めて容易に行なわれ、作業性を向上させることができる。また、各従クランパの固定位置を各々変えることができるので、クランパの角度調整の自由度が増し、この点でも、作業が容易に行なわれ、作業性を向上させることができる。また、パイプをクランパにクランプするだけで各パイプの連結を行なうことができるので、より一層作業効率を向上させることができる。
更に、連結金具にパイプを取付けた状態では、他方向パイプが、一方向パイプの軸線に直交する１つの平面上に軸線を有して配設されるので、従来のようにパイプが重なり合って連結部が複雑になってしまう事態を防止することができ、そのため、連結部の構造が単純化され、その後の外装材の取付が容易にできるようになり、また、外観品質を大幅に向上させることができる。
【発明を実施するための最良の形態】
【００２０】
以下、添付図面に基づいて、本発明の実施の形態に係る簡易ハウスの骨組み用連結金具について詳細に説明する。尚、上記と同様のものには同一の符号を付して説明する。
図１乃至図４に示す本発明の実施の形態に係る連結金具Ｓが適用される簡易ハウスは、上述もしたように、図１０に示すように、鋼等の金属製のパイプＰを連結して、骨組みＴを構築し、それから、この骨組みＴに樹脂シートを被覆しあるいはベニヤ板などを付設して構築される。
簡易ハウスの骨組みＴの連結部Ｊとしては、例えば、１本の一方向パイプＰ（Ａ）とこの一方向パイプＰ（Ａ）の軸線に直交する１つの平面上に軸線を有して配設される少なくとも２本以上（図の例では最大３本）の他方向パイプＰ（Ｂ）とが交差する第一種連結部Ｊ（ａ）と、例えば、１本の一方向パイプＰ（Ａ）とこの一方向パイプＰ（Ａ）の軸線に交差するとともにこの一方向パイプＰ（Ａ）の軸線を含む１つの平面上に軸線を有して配設される１本の他方向パイプＰ（Ｂ）とが交差する第二種連結部Ｊ（ｂ）とがある。
【００２１】
第一種連結部Ｊ（ａ）としては、例えば、屋根の頂部（尾根）を構成する一方向パイプＰ（Ａ１）と、屋根の妻を構成し屋根の傾斜に沿う一対の他方向パイプＰ（Ｂ１，Ｂ２）と、屋根の妻を構成する横梁のパイプＰ（Ｂ４）に立設される縦梁の他方向パイプＰ（Ｂ３）が交差する屋根の頂部端部Ｊ（ａ１）がある。
また、第一種連結部Ｊ（ａ）の他の例としては、例えば、屋根の裾縁を構成する一方向パイプＰ（Ａ２）と、屋根の妻を構成し屋根の傾斜に沿う一本の他方向パイプＰ（Ｂ１またはＢ２）と、屋根の妻を構成する横梁の他方向パイプＰ（Ｂ４）と、土台（地面）から立ち上がって柱を構成する他方向パイプＰ（Ｂ５）が交差する屋根の裾縁端部Ｊ（ａ２）がある。
【００２２】
更に、第二種連結部Ｊ（ｂ）の例としては、例えば、屋根の裾縁を構成する一方向パイプＰ（Ａ２）と、土台（地面）から立ち上がって柱を構成する他方向パイプＰ（Ｂ６）が直角に交差する屋根の裾縁中間部Ｊ（ｂ１）がある。
更にまた、第二種連結部Ｊ（ｂ）の別の例としては、例えば、屋根の裾縁を構成する一方向パイプＰ（Ａ２）と、柱の他方向パイプＰ（Ｂ７）から延びて一方向パイプＰ（Ａ２）に架設される補強材を構成する他方向パイプＰ（Ｂ８）が鋭角（あるいは鈍角）に交差する屋根の裾縁中間部Ｊ（ｂ２）などがある。
【００２３】
本発明の実施の形態に係る連結金具Ｓは、上記の第一種連結部Ｊ（ａ）に適用されるものである。尚、第二種連結部Ｊ（ｂ）には、後述する別の連結金具Ｓａが用いられる。
実施の形態に係る連結金具Ｓは、図１乃至図４に示すように、１本の一方向パイプＰ（Ａ）と一方向パイプＰ（Ａ）の軸線Ｘに直交する１つの平面Ｚ（図４（ｂ））上に軸線を有して配設される少なくとも２本以上（実施の形態では３本）の他方向パイプＰ（Ｂ）とが交差する連結部Ｊ（ａ）に用いられ、各パイプＰをクランプする複数のクランパ１（１Ａ，１Ｂ）と、各クランパ１が固定され一方向パイプＰ（Ａ）の軸線に直交する面を有したプレート２０とを備えて構成されている。
【００２４】
クランパ１として、一方向パイプＰ（Ａ）をクランプする１つの主クランパ１Ａと、他方向パイプＰ（Ｂ）をクランプする複数の従クランパ１Ｂとが備えられている。
各クランパ１は、パイプＰをクランプするクランプ部２と、クランプ部２に設けられプレート２０に取付けられる被取付部１０（１０Ａ，１０Ｂ）とを備えて構成されている。
【００２５】
クランパ１のクランプ部２は、プレート２０側に固定され内側にパイプＰの外周が当接可能な略半円弧状の当接部３ａを有した固定片３と、固定片３の一端に当該クランパ１がクランプするパイプＰの軸線と平行な軸線を回動軸とするヒンジ４を介して一端が回動可能に設けられるとともにパイプＰの外周が当接可能な略半円弧状の当接部５ａを有し固定片３と共働してパイプＰを挾持する可動片５と、固定片３の他端に基端部が回動可能に設けられたクランプボルト６と、可動片５の他端に突出形成されクランプボルト６の先端部側が係脱可能なＵ字状の係合部７と、クランプボルト６に螺合し締め付けにより係合部７に当接してクランプボルト６の係合部７に対する係合をロックするロックナット８と備えて構成されている。
【００２６】
主クランパ１Ａの被取付部１０Ａは、図２に示すように、クランプ部２の固定片３がリベット１２で固定されたベース１１と、ベース１１から突設されクランプ部２でクランプされた一方向パイプＰ（Ａ）の軸線と同方向の軸線を有する固定ボルト１３と、固定ボルト１３に螺合され固定ボルト１３をプレート２０に固定するための固定ナット１４と、ベース１１から突設されクランプ部２でクランプされた一方向パイプＰ（Ａ）の軸線と同方向の軸線を有する位置決めピン１５とを備えて構成されている。固定ボルト１３及び位置決めピン１５は、ベース１１に溶接で固定されている。
【００２７】
従クランパ１Ｂの被取付部１０Ｂは、図３に示すように、クランプ部２の固定片３から突設されクランプ部２でクランプされた他方向パイプＰ（Ｂ）の軸線と直交する方向の軸線を有する固定ボルト１３と、固定ボルト１３に螺合され固定ボルト１３をプレート２０に固定するための固定ナット１４と、固定片３から突設されクランプ部２でクランプされた他方向パイプＰ（Ｂ）の軸線と直交する方向の軸線を有する位置決めピン１５とを備えて構成されている。固定ボルト１３及び位置決めピン１５は、固定片３に溶接で固定されている。
【００２８】
また、プレート２０は、図４に示すように、扇形に形成され、この扇形の要の内側部分に、一方向パイプＰ（Ａ）が貫通可能な貫通孔２１が設けられている。このプレート２０は、このプレート２０面を含む平面である貫通孔２１を貫通可能に主クランパ１Ａの被取付部１０Ａが着脱可能に取付けられる主クランパ取付部２２と、従クランパ１Ｂがクランプする他方向パイプＰ（Ｂ）の軸線方向を可変に従クランパ１Ｂの被取付部１０Ｂが着脱可能に取付けられる従クランパ取付部３０とを備えて構成されている。
【００２９】
詳しくは、主クランパ取付部２２は、図４に示すように、プレート２０に設けられ固定ボルト１３が挿入可能なボルト挿入孔２３及び位置決めピン１５が挿入可能なピン挿入孔２４を備えて構成されている。
【００３０】
従クランパ取付部３０として、図４に示すように、第１及び第２従クランパ取付部３０Ａ，３０Ｂを備え、第１及び第２従クランパ取付部３０Ａ，３０Ｂは、主クランパ取付部２２に取付けられる主クランパ１Ａがクランプする一方向パイプＰ（Ａ）の軸線Ｘに直交する１つの中心軸Ｑに対して左右対称に設けられている。
第１及び第２従クランパ取付部３０Ａ，３０Ｂにおいては、第１及び第２従クランパ取付部３０Ａ，３０Ｂに取付けられる従クランパ１Ｂがクランプする他方向パイプＰ（Ｂ）の軸線方向が一方向パイプＰ（Ａ）の軸線Ｘを中心とした所定角度範囲で可変になるように、従クランパ１Ｂの被取付部１０Ｂが着脱可能になるように構成されている。
詳しくは、第１及び第２従クランパ取付部３０Ａ，３０Ｂは、プレート２０に設けられ固定ボルト１３が挿入可能なボルト挿入孔２３及び位置決めピン１５が挿入可能なピン挿入孔２４の組を備えて構成されている。そして、この第１及び第２従クランパ取付部３０Ａ，３０Ｂにおいて、ボルト挿入孔２３及びピン挿入孔２４の組は、一方向パイプＰ（Ａ）の軸線Ｘを中心とした所定角度範囲に、所定角度関係で複数組設けられている。
実施の形態では、ボルト挿入孔２３及びピン挿入孔２４の組は、数種の屋根の勾配にあわせて、左右に夫々５組ずつ互いに対称に設けられている。
【００３１】
また、従クランパ取付部３０として、図４に示すように、第３従クランパ取付部３０Ｃが備えられている。この第３従クランパ取付部３０Ｃは、主クランパ取付部２２に取付けられる主クランパ１Ａがクランプする一方向パイプＰ（Ａ）の軸線Ｘに直交する１つの中心軸Ｑ上に設けられている。第３従クランパ取付部３０Ｃにおいては、第３従クランパ取付部３０Ｃに取付けられる従クランパ１Ｂがクランプする他方向パイプＰ（Ｂ）の軸線方向がこの第３従クランパ取付部３０Ｃの中心点Ｙを中心とした所定角度範囲で可変になるように、従クランパ１Ｂの被取付部１０Ｂが着脱可能になるように構成されている。
詳しくは、第３従クランパ取付部３０Ｃは、プレート２０に設けられ固定ボルト１３が挿入可能なボルト挿入孔２３及び位置決めピン１５が挿入可能なピン挿入孔２４を備えて構成されている。そして、第３従クランパ取付部３０Ｃにおいては、ピン挿入孔２４が、ボルト挿入孔２３を中心とした所定角度範囲に、所定角度関係で複数（実施の形態では３つ）対称に設けられている。
【００３２】
次に、図５に示すように、第二種連結部Ｊ（ｂ）に用いられる別の連結金具Ｓａについて説明する。
この連結金具Ｓａは、１本の一方向パイプＰ（Ａ）と一方向パイプＰ（Ａ）の軸線を含む１つの平面上に軸線を有して配設される１本の他方向パイプＰ（Ｂ）とが交差する連結部Ｊに用いられ、各パイプＰをクランプする上記の従クランパと同じ２つのクランパ１Ｃと、各クランパ１Ｃが固定され一方向パイプＰ（Ａ）の軸線及び他方向パイプＰ（Ｂ）の軸線を含む面に平行な面を有したプレート４０とを備えて構成されている。
プレート４０は、矩形状に形成され、各クランパ１Ｃに対応して、上記第３従クランパ取付部３０Ｃと同様の取付部４１，４２が形成され、各クランパ１は、角度調整が可能になっている。
【００３３】
次にまた、図６に示すように、第一種連結部Ｊ（ａ）に用いられるものであるが、上記実施の形態とはタイプの異なる他の連結金具Ｓｂについて説明する。尚、この部位には上記実施の形態に係る連結金具Ｓを用いることもできる。
この連結金具Ｓｂは、図７及び図１０に示すように、土台側コーナ部Ｊ（ａ３）に使用されるもので、互いに直角に交差する一方向パイプＰ（Ａ３），他方向パイプＰ（Ｂ５）及び他方向パイプＰ（Ｂ９）を連結するものである。
この連結金具Ｓｂは、各パイプＰをクランプする上記の従クランパと同じ３つのクランパ１Ｄと、各クランパ１Ｄが固定されるプレート５０とを備えて構成されている。プレート５０は、垂直板５１とこの垂直板５１の下端に該垂直板５１の面に対して角度θが４５度（内角が１３５度）の面になるようにかつ互いに直角な関係になるように連設された一対の側板５２とから構成されている。垂直板５１及び一対の側板５２には、それぞれ、各クランパ１Ｄの取付け方向が１８０度調整可能な取付部５４が形成されている。
【００３４】
従って、この実施の形態に係る連結金具Ｓを用いて、パイプの連結を行なうときは、以下のようにして行なう。
図７及び図１０に示すように、先ず、例えば、第一種連結部Ｊ（ａ）としての屋根の頂部端部Ｊ（ａ１）の連結について説明する。屋根の頂部端部Ｊ（ａ１）では、屋根の頂部（尾根）を構成する一方向パイプＰ（Ａ１）と、屋根の妻を構成し屋根の傾斜に沿う一対の他方向パイプＰ（Ｂ１，Ｂ２）と、屋根の妻を構成する横梁のパイプＰ（Ｂ４）に立設される縦梁の他方向パイプＰ（Ｂ３）が交差する。
図１及び図８に示すように、一方向パイプＰ（Ａ１）に対応して、主クランパ１Ａの被取付部１０Ａを、主クランパ取付部２２に取付ける。この際、ベース１１から突設された固定ボルト１３と位置決めピン１５とを、主クランパ取付部２２のボルト挿入孔２３及びピン挿入孔２４に挿入し、固定ナット１４を固定ボルト１３に締め付けて、主クランパ１Ａをプレート２０に固定する。この場合、主クランパ１Ａは、位置決めピン１５で位置決めされるので、確実に位置決め固定される。
【００３５】
また、屋根の傾斜に沿う一対の他方向パイプＰ（Ｂ１，Ｂ２）に対応して、従クランパ１Ｂの被取付部１０Ｂを、第１及び第２従クランパ取付部３０Ａ，３０Ｂに取付ける。この際、他方向パイプＰ（Ｂ１，Ｂ２）の傾斜に合わせて、第１及び第２従クランパ取付部３０Ａ，３０Ｂのボルト挿入孔２３及びピン挿入孔２４を選択し、この選択したボルト挿入孔２３及びピン挿入孔２４に、従クランパ１Ｂの固定ボルト１３と位置決めピン１５とを挿入し、固定ナット１４を固定ボルト１３に締め付けて、従クランパ１Ｂをプレート２０に固定する。この場合、他方向パイプＰ（Ｂ１，Ｂ２）の傾斜に合わせて従クランパ１Ｂの固定位置を変えるだけで角度調整できるので、作業が極めて容易に行なわれる。また、一対の各従クランパ１Ｂの固定位置を変えることができるので、クランパ１の角度調整の自由度が増し、この点でも、作業が容易に行なわれる。また、第１及び第２従クランパ取付部３０Ａ，３０Ｂは、左右対称に設けられているので、屋根の妻を構成し屋根の傾斜に沿う一対のパイプＰに対してバランスをとって角度調整でき、より一層、作業が容易に行なわれる。更に、従クランパ１Ｂを一方向パイプＰ（Ａ）の軸線Ｘを中心として角度調整できるので、この点でも角度調整が容易になり、より一層、作業が容易に行なわれる。更にまた、従クランパ１Ｂは、位置決めピン１５で位置決めされるので、確実に位置決め固定される。
【００３６】
更に、縦梁の他方向パイプＰ（Ｂ３）に対応して、従クランパ１Ｂの被取付部１０Ｂを、第３従クランパ取付部３０Ｃに取付ける。この際、固定ボルト１３と位置決めピン１５とを、第３従クランパ取付部３０Ｃのボルト挿入孔２３及びピン挿入孔２４に挿入し、固定ナット１４を固定ボルト１３に締め付けて、従クランパ１Ｂをプレート２０に固定する。この場合、従クランパ１Ｂは、位置決めピン１５で位置決めされるので、確実に位置決め固定される。
【００３７】
そして、この主クランパ１Ａ及び従クランパ１Ｂを取付けた連結金具Ｓを、屋根の頂部端部Ｊ（ａ１）に位置させ、各クランパ１に対応するパイプＰを挿入して、クランプボルト６を係合部７に係合させ、ロックナット８を締め付けて固定する。この場合、パイプＰをクランパ１に挿入してロックナット８を締め付けるだけで、各パイプＰの連結を行なうことができるので、作業が極めて簡単に行なわれる。
【００３８】
次に、図７及び図１０に示すように、例えば、第一種連結部Ｊ（ａ）としての屋根の裾縁端部Ｊ（ａ２）の連結について説明する。屋根の裾縁端部Ｊ（ａ２）では、屋根の裾縁を構成する一方向パイプＰ（Ａ２）と、屋根の妻を構成し屋根の傾斜に沿う一本の他方向パイプＰ（Ｂ１またはＢ２）と、屋根の妻を構成する横梁の他方向パイプＰ（Ｂ４）と、土台（地面）から立ち上がって柱を構成する他方向パイプＰ（Ｂ５）が交差する。
図９に示すように、一方向パイプＰ（Ａ２）に対応して、主クランパ１Ａの被取付部１０Ａを、主クランパ取付部２２に取付ける。この際、ベース１１から突設された固定ボルト１３と位置決めピン１５とを、主クランパ取付部２２のボルト挿入孔２３及びピン挿入孔２４に挿入し、固定ナット１４を固定ボルト１３に締め付けて、主クランパ１Ａをプレート２０に固定する。この場合、主クランパ１Ａは、位置決めピン１５で位置決めされるので、確実に位置決め固定される。
【００３９】
また、図９に示すように、屋根の傾斜に沿う他方向パイプＰ（Ｂ１）に対応して、従クランパ１Ｂの被取付部１０Ｂを、第２従クランパ取付部３０Ｂに取付ける。この際、他方向パイプＰ（Ｂ１）の傾斜に合わせて、第２従クランパ取付部３０Ｂのボルト挿入孔２３及びピン挿入孔２４を選択し、この選択したボルト挿入孔２３及びピン挿入孔２４に、従クランパ１Ｂの固定ボルト１３と位置決めピン１５とを挿入し、固定ナット１４を固定ボルト１３に締め付けて、従クランパ１Ｂをプレート２０に固定する。この場合、他方向パイプＰ（Ｂ１）の傾斜に合わせて従クランパ１Ｂの固定位置を変えるだけで角度調整できるので、作業が極めて容易に行なわれる。
【００４０】
更に、柱を構成する他方向パイプＰ（Ｂ５）に対応して、従クランパ１Ｂの被取付部１０Ｂを、第１従クランパ取付部３０Ａに取付ける。この際、他方向パイプＰ（Ｂ５）の角度に合わせて、第１従クランパ取付部３０Ａのボルト挿入孔２３及びピン挿入孔２４を選択し、この選択したボルト挿入孔２３及びピン挿入孔２４に、従クランパ１Ｂの固定ボルト１３と位置決めピン１５とを挿入し、固定ナット１４を固定ボルト１３に締め付けて、従クランパ１Ｂをプレート２０に固定する。この場合、他方向パイプＰ（Ｂ５）の角度に合わせて従クランパ１Ｂの固定位置を変えるだけで角度調整できるので、作業が極めて容易に行なわれる。
【００４１】
更にまた、屋根の妻を構成する横梁の他方向パイプＰ（Ｂ４）に対応して、従クランパ１Ｂの被取付部１０Ｂを、第３従クランパ取付部３０Ｃに取付ける。この際、固定ボルト１３と位置決めピン１５とを、第３従クランパ取付部３０Ｃのボルト挿入孔２３及びピン挿入孔２４に挿入し、固定ナット１４を固定ボルト１３に締め付けて、従クランパ１Ｂをプレート２０に固定する。この場合、他方向パイプＰ（Ｂ）の角度に合わせて従クランパ１Ｂの固定位置を変えるだけで角度調整できるので、作業が極めて容易に行なわれる。また、従クランパ１Ｂは、位置決めピン１５で位置決めされるので、確実に位置決め固定される。
このように、各従クランパ１Ｂの固定位置を変えることができるので、クランパ１の角度調整の自由度が増し、この点でも、作業が極めて容易に行なわれる。
【００４２】
そして、この主クランパ１Ａ及び従クランパ１Ｂを取付けた連結金具Ｓを、屋根の裾縁端部Ｊ（ａ２）に位置させ、各クランパ１に対応するパイプＰを挿入して、クランプボルト６を係合部７に係合させ、ロックナット８を締め付けて固定する。この場合、パイプＰをクランパ１に挿入してロックナット８を締め付けるだけで、各パイプＰの連結を行なうことができるので、作業が極めて簡単に行なわれる。
【００４３】
このようにして、連結金具Ｓにパイプを取付けた状態では、他方向パイプＰ（Ｂ）が、一方向パイプＰ（Ａ）の軸線Ｘに直交する１つの平面Ｚ上に軸線を有して配設されるので、従来のようにパイプが重なり合って連結部Ｊが複雑になってしまう事態を防止することができ、そのため、連結部Ｊの構造が単純化され、その後の外装材の取付が容易にできるようになり、外観品質が大幅に向上させられる。
【００４４】
次に、図７及び図１０に示すように、例えば、第二種連結部Ｊ（ｂ）として屋根の裾縁中間部Ｊ（ｂ１）の連結について説明する。屋根の裾縁中間部Ｊ（ｂ１）は、屋根の裾縁を構成する一方向パイプＰ（Ａ２）と、土台（地面）から立ち上がって柱を構成する他方向パイプＰ（Ｂ６）が直角に交差する。
図５に示すように、別の連結金具Ｓａを用い、一方向パイプＰ（Ａ２）及び他方向パイプＰ（Ｂ６）に対応して、クランパ１Ｃの被取付部を、クランパ取付部４１，４２に取付ける。この際、上記と同様に、固定ボルト１３と位置決めピン１５とを、クランパ取付部４１，４２のボルト挿入孔２３及びピン挿入孔２４に挿入し、固定ナット１４を固定ボルト１３に締め付けて、クランパ１Ｃをプレート４０に固定する。この場合も、パイプＰの角度に合わせてクランパ１Ｃの固定位置を変えるだけで角度調整できるので、作業が極めて容易に行なわれる。
この別の連結金具Ｓａにおいても、他方向パイプＰ（Ｂ）が一方向パイプＰ（Ａ）の軸線を含む１つの平面上に軸線を有して配設されるので、従来のようにパイプが重なり合って連結部Ｊが複雑になってしまう事態を防止することができ、そのため、連結部Ｊの構造が単純化され、その後の外装材の取付が容易にできるようになり、外観品質が大幅に向上させられる。
【００４５】
次にまた、図７及び図１０に示すように、土台側コーナ部Ｊ（ａ３）の連結について説明する。土台側コーナ部Ｊ（ａ３）は、互いに直角に交差する一方向パイプＰ（Ａ３），他方向パイプＰ（Ｂ５）及び他方向パイプＰ（Ｂ９）が交差する。
図６に示すように、他の連結金具Ｓｂを用い、互いに直角に交差する一方向パイプＰ（Ａ３），他方向パイプＰ（Ｂ５）及び他方向パイプＰ（Ｂ９）に対応して、クランパ１Ｄの被取付部を、クランパ取付部５４に取付ける。この際、上記と同様に、固定ボルト１３と位置決めピン１５とを、クランパ取付部５４のボルト挿入孔２３及びピン挿入孔２４に挿入し、固定ナット１４を固定ボルト１３に締め付けて、クランパ１Ｄをプレート５０に固定する。この連結金具Ｓｂにおいても、従来のようにパイプが重なり合って連結部Ｊが複雑になってしまう事態を防止することができ、そのため、連結部Ｊの構造が単純化され、その後の外装材の取付が容易にできるようになり、外観品質が大幅に向上させられる。
【００４６】
尚、上記説明において、本実施の形態に係る連結金具Ｓは、パイプが４本集合する連結部Ｊに用いたが、必ずしもこれに限らず、例えば、図１０に示すように、パイプが３本集合する第一種連結部Ｊ（ａ）に用いても良い。この場合には、従クランパ１Ｂを１つ省略すればよい。このように、本実施の形態に係る連結金具Ｓは、４本以下のパイプの連結に用いることができ、そのため、汎用性が極めてよくなる。
尚また、本実施の形態に係る連結金具Ｓは、パイプを４本連結可能に構成したが、必ずしもこれに限定されるものではなく、５本以上連結できるように従クランパ取付部３０を設けてよく、適宜変更して差支えない。
【図面の簡単な説明】
【００４７】
【図１】本発明の実施の形態に係る簡易ハウスの骨組み用連結金具を示す斜視図である。
【図２】本発明の実施の形態に係る簡易ハウスの骨組み用連結金具の主クランパを示す部分断面図である。
【図３】本発明の実施の形態に係る簡易ハウスの骨組み用連結金具の従クランパを示し、（ａ）は平面図、（ｂ）は左側面図、（ｃ）は正面図、（ｄ）は右側面図である。
【図４】本発明の実施の形態に係る簡易ハウスの骨組み用連結金具のプレートを示し、（ａ）は正面図、（ｂ）は右側面図である。
【図５】本発明の実施の形態に係る簡易ハウスの骨組み用連結金具が適用される簡易ハウスの骨組みにおいて使用される別の連結金具を示す斜視図である。
【図６】本発明の実施の形態に係る簡易ハウスの骨組み用連結金具が適用される簡易ハウスの骨組みにおいて使用される他の連結金具を示し、（ａ）は全体平面図、（ｂ）はプレートの正面図である。
【図７】本発明の実施の形態に係る簡易ハウスの骨組み用連結金具の適用例を簡易ハウスの骨組みにおいて示す斜視図である。
【図８】本発明の実施の形態に係る簡易ハウスの骨組み用連結金具の適用例を示す正面図である。
【図９】本発明の実施の形態に係る簡易ハウスの骨組み用連結金具の別の適用例を示す正面図である。
【図１０】本発明の実施の形態に係る簡易ハウスの骨組み用連結金具が適用される簡易ハウスの骨組みにおける連結部の態様を示す斜視図である。
【図１１】従来の連結金具の一例を示す図である。
【符号の説明】
【００４８】
Ｓ  連結金具
Ｓａ  別の連結金具
Ｓｂ  他の連結金具
Ｔ  骨組み
Ｊ  連結部
Ｊ（ａ）  第一種連結部
Ｊ（ａ１）  頂部端部
Ｊ（ａ２）  裾縁端部
Ｊ（ａ３）  土台側コーナ部
Ｊ（ｂ）  第二種連結部
Ｊ（ｂ１）  裾縁中間部
Ｊ（ｂ２）  裾縁中間部
Ｐ  パイプ
Ｐ（Ａ），Ｐ（Ａ１），Ｐ（Ａ２），Ｐ（Ａ３）  一方向パイプ
Ｐ（Ｂ），Ｐ（Ｂ１），Ｐ（Ｂ２），Ｐ（Ｂ３），Ｐ（Ｂ４），Ｐ（Ｂ５），Ｐ（Ｂ６），Ｐ（Ｂ７），Ｐ（Ｂ８），Ｐ（Ｂ９）  他方向パイプ
１  クランパ
１Ａ  主クランパ
１Ｂ  従クランパ
１Ｃ  クランパ
１Ｄ  クランパ
２  クランプ部
３  固定片
４  ヒンジ
５  可動片
６  クランプボルト
７  係合部
８  ロックナット
１０，１０Ａ，１０Ｂ  被取付部
１１  ベース
１２  リベット
１３  固定ボルト
１４  固定ナット
１５  位置決めピン
２０  プレート
２１  貫通孔
２２  主クランパ取付部
２３  ボルト挿入孔
２４  ピン挿入孔
３０  従クランパ取付部
３０Ａ  第１従クランパ取付部
３０Ｂ  第２従クランパ取付部
３０Ｃ  第３従クランパ取付部
４０  プレート
４１，４２  取付部
５０  プレート
５１  垂直板
５２  側板
５４  取付部
【図１】
2005290815.tif 000003
【図２】
2005290815.tif 000004
【図３】
2005290815.tif 000005
【図４】
2005290815.tif 000006
【図５】
2005290815.tif 000007
【図６】
2005290815.tif 000008
【図７】
2005290815.tif 000009
【図８】
2005290815.tif 000010
【図９】
2005290815.tif 000011
【図１０】
2005290815.tif 000012
【図１１】
2005290815.tif 000013
【手続補正書】
【提出日】平成16年5月10日(2004.5.10)
【手続補正１】
【補正対象書類名】図面
【補正対象項目名】図５
【補正方法】変更
【補正の内容】
【図５】
2005290815.tif 000014
【手続補正書】
【提出日】平成16年12月9日(2004.12.9)
【手続補正１】
【補正対象書類名】図面
【補正対象項目名】図２
【補正方法】変更
【補正の内容】
【図２】
2005290815.tif 000015
【手続補正２】
【補正対象書類名】図面
【補正対象項目名】図８
【補正方法】変更
【補正の内容】
【図８】
2005290815.tif 000016
【手続補正３】
【補正対象書類名】図面
【補正対象項目名】図９
【補正方法】変更
【補正の内容】
【図９】
2005290815.tif 000017